(57)【要約】  コンタクトレンズ収納ケースが開示される。ここではコンタクトレンズが蓋を閉めたときに自動的に保存液に浸漬し、そして蓋を開けると自動的に保存液から露出するので、コンタクトレンズを傷付けずに収納でき、そしてコンタクトレンズを装着するときに使用者が容易に指でコンタクトレンズを持つことができる。コンタクトレンズ収納ケースは、円筒状の形状で、本体の両側に形成されていて、コンタクトレンズ又はソフトレンズを収納できる保存液を満たしている収納容器；収納容器の内側に会合されていて、そしてレンズをスライダーの上面に保持している、上下に移動するスライダー；スライダーを上方向に動かす伸縮力を提供する伸縮装置（伸縮装置はスライダーの下面に形成されている）；保存容器を覆う蓋；及びスライダーを押し付けてレンズの離脱を防ぐための押し付け装置（押し付け装置は蓋の内側に会合している）：を備えている。【選択図】  図９
2010510829.tif 000002
【特許請求の範囲】
【請求項１】
円筒状の形態を有し、本体の両側に形成され、そしてコンタクトレンズ又はソフトレンズを収納するための保存液を満たしている収納容器；
収納容器の内側に挿入されていて、そしてレンズをスライダーの上面に保持している、上下に移動するスライダー；
スライダーを上方向に動かす伸縮力を提供する伸縮装置（伸縮装置はスライダーの下面に形成されている）；
保存容器を覆う蓋；及び
スライダーを押し付けてレンズの離脱を防ぐための押し付け装置（押し付け装置は蓋の内側に会合している）：
を含有してなる、コンタクトレンズを収納するためのコンタクトレンズ収納ケース。
【請求項２】
収納容器が、収納容器の内側に形成されて上下に移動するスライダーが所定の間隔以上移動することを防ぐためのスライダー溝を含有し、そして収納容器の側面が収納容器に入れる保存液が外側へ漏れるのを防ぐために内壁及び外壁を有する二重構造で構築されていて、保存液を内壁と外壁の間に形成される空間に導入できる、請求項１に記載のコンタクトレンズ収納ケース。
【請求項３】
スライダーが：
収納容器の内側に形成されているスライダー溝と係合するスライド突起；
レンズを捕捉するための凸状形態を有するレンズ捕捉プローブ；
収納するためにスライダーを保存液に浸漬するときに保存液を容易に移動できる孔；及び
歯止め突起：
を含有してなる、請求項１に記載のコンタクトレンズ収納ケース。
【請求項４】
蓋が、蓋の内側に形成される止水板及び集水板を含有し、その止水板が保存液が収納容器の外に溢れるのを防ぎ、そして集水板が収納容器の内壁と外壁の間の空間へ保存液を収集する、請求項１に記載のコンタクトレンズ収納ケース。
【請求項５】
押し付け装置が、蓋の内側に蓋と一体となって形成されている押し付け突起、又は蓋と容易に会合する押し付け蓋を備えている、請求項１に記載のコンタクトレンズ収納ケース。
【請求項６】
押し付け蓋が、蓋と会合させるための嵌め込み孔、嵌め込み孔を捕捉するためのサポーター、及びサポーターの間に形成されて押し付け蓋を上方向に取り囲む複数の長手を含有し、長手の下面は下方に突き出ている抗移動突起、スライダーの歯止め突起の間に位置する歯止め突起、及び捕捉板を含有している、請求項５に記載のコンタクトレンズ収納ケース。
【請求項７】
蓋が収納容器と会合したときに、蓋の内側に会合している押し付け装置が収納容器中に挿入されているスライダーを押し付けて、スライダーを収納容器の下方向に動かしてスライダーを保存液に浸漬でき、そして蓋を収納容器から取り外したときに、スライダーに加えられている圧力が除かれて、スライダーが伸縮装置から伸縮力を受けて、収納容器の上方向に動いて、スライダーが保存液から露出する、請求項１〜６の何れか一項に記載のコンタクトレンズ収納ケース。
【発明の詳細な説明】
【技術分野】
【０００１】
本発明はコンタクトレンズ収納ケースに関し、これはコンタクトレンズが、蓋を閉めると自動的に保存液に浸漬して、蓋を開けると自動的に保存液から露出するので、コンタクトレンズを傷付けることなく収納でき、コンタクトレンズの装着時に使用者がレンズを容易に指で持つことができる。
【背景技術】
【０００２】
視力を矯正するためのコンタクトレンズ又はソフトレンズは、普通の眼鏡とは異なり、レンズを収納するための収納ケースを必要として、レンズの硬化を避けるためそしてレンズの装着時にレンズの表面に付着するタンパク質のような、副生物を除去するために洗浄液又は保存液中で保管することが必要である。従ってレンズは、コンタクトレンズ又はソフトレンズを収納するための、保存液を有している右のケースと左のケースに分かれているレンズ収納ケースに入れられる。しかしながら、上記のレンズ収納ケースは、コンタクトレンズを装着するときに使用者が指を保存液に浸さなけらばならず、或いは別の道具を用いなけらばならないという不便さを有している。
【発明の概要】
【発明が解決しようとする課題】
【０００３】
従って、本発明は上記の問題点に鑑みてなされたものであり、そして本発明はコンタクトレンズ収納ケースを提供し、これはコンタクトレンズ収納ケースの蓋を開けると、コンタクトレンズが保存液から自動的に外に出るので、コンタクトレンズ又はソフトレンズを装着するときに、使用者は、指を保存液若しくは洗浄液に浸すことなく、容易にコンタクトレンズを指で持つことができる。
【課題を解決するための手段】
【０００４】
本発明の実施態様によると、所定の容量及びその内側の壁にスライダーの溝を有する収納容器、凸形状を有し側面の突出部をスライダーの溝とかみ合わせて収納容器に会合しているスライダー（ｓｌｉｄｅｒ）、スライダーの下面を保持するための伸縮装置（ｅｌａｓｔｉｃ ｍｅａｎｓ）、収納容器を覆うための蓋（ｃａｐ）、及びスライダーを押し付けてコンタクトレンズが離れることを防ぐための蓋の内側と一体に回転自在に組み立てられている押し付け装置（ｐｒｅｓｓｉｎｇ ｍｅａｎｓ）を備えている、コンタクトレンズ収納ケースが提供される。従って蓋を閉めると、スライダーを押し付けるように押し付け装置が下方向に動いて、それによってスライダー上に置かれたコンタクトレンズが収納容器中の保存液に浸漬して保存でき、そして蓋を開けると、スライダーの上部に置かれているコンタクトレンズが伸縮装置によって露出し、それによって使用者は容易にコンタクトレンズを持つことができる。
【発明の効果】
【０００５】
本発明のコンタクトレンズ収納ケースによると、コンタクトレンズは、収納容器中で上下に移動するスライダーの上に載せると動き、そしてスライダーは蓋の開閉によって上下にスライドするので、コンタクトレンズは保存液から露出するか又は保存液中に浸漬される。従って、本発明は使用者がコンタクトレンズを容易に収納及び取り扱えるようにする。
【０００６】
更に、本発明のコンタクトレンズ収納ケースによると、使用者は保存液に浸されているコンタクトレンズを容易に持つことができ、コンタクトレンズを装着するのに必要な時間が短縮されるので、コンタクトレンズに対する汚染及び損傷が最小限に抑えられる。
【０００７】
その上、本発明のコンタクトレンズ収納ケースによると、押し付け装置は、蓋が回転している間でも、スライダーの上面にコンタクトレンズを有しているスライダーを垂直に押し付けて、押し付け装置はコンタクトレンズがスライダーから離れていくことを防止する。従って、本発明は、蓋の開閉時に、コンタクトレンズがスライダーの上面から外側方向へ移動して開口部に挟まることによって、コンタクトレンズが裂けて損傷するという問題点を解決する。
【０００８】
すなわち、本発明では、その上にコンタクトレンズが載せられるスライダーが上下に垂直に移動し、その間にコンタクトレンズがスライダーの上面で外側に移動することを防ぐので、コンタクトレンズの損傷及び破損を防御する。
【図面の簡単な説明】
【０００９】
【図１】図１は、本発明による、コンタクトレンズ収納ケースを説明する平面図である。
【図２】図２は、本発明による、コンタクトレンズ収納ケースの蓋を開けたときの状態を説明する正面図である。
【図３】図３は、本発明による、スライダーの斜視図である。
【図４】図４は、本発明による、スライダーの平面図である。
【図５】図５は、本発明による、スライダーの断面図である。
【図６】図６は、本発明による、押し付け蓋（ｐｒｅｓｓｉｎｇ  ｃａｐ）の斜視図である。
【図７】図７は、本発明による、押し付け蓋の平面図である。
【図８】図８は、本発明による、押し付け蓋の正面図である。
【図９】図９は、本発明による。押し付け蓋を用いるコンタクトレンズ収納ケースを説明する分解断面図である。
【図１０】図１０は、本発明による、押し付け蓋を用いるコンタクトレンズ収納ケースの蓋を開けた状態を説明する断面図である。
【図１１】図１１は、本発明による、押し付け蓋を用いるコンタクトレンズ収納ケースの会合している状態を説明する断面図である。
【図１２】図１２は、本発明による、コンタクトレンズ収納ケースの拡大した部分を説明する断面図である。
【図１３】図１３は、押し付け突起部（ｐｒｅｓｓｉｇ ｐｒｏｔｕｓｉｏｎ）を用いるコンタクトレンズ収納ケースを説明する分解断面図である。
【図１４】図１４は、押し付け突起部を用いるコンタクトレンズ収納ケースの蓋を開けた状態を説明する分解断面図である。
【図１５】図１５は、押し付け突起部を用いるコンタクトレンズ収納ケースの会合している状態を説明する分解断面図である。
【発明を実施するための形態】
【００１０】
コンタクトレンズを収納するためのコンタクトレンズ収納ケースは、円筒状の形態で、本体（１０）の両側に形成され、そしてコンタクトレンズ又はソフトレンズを収納するために保存液が満たされている収納容器（２０）、収納容器（２０）の内側に挿入されている間は上下に移動して、スライダー（５０）の上面の上にレンズ（７０）を保持するスライダー（５０）、スライダー（５０）を上の方向に動かす伸縮力を提供するための伸縮装置（４０）、この伸縮装置（４０）はスライダー（５０）の下面に形成されている、収納容器（２０）を覆う蓋（３０）、及びスライダー（５０）を押し付けてレンズ（７０）が離れるのを防ぐ押し付け装置（６０）を備え、押し付け装置（６０）は蓋（３０）の内側に会合されている。蓋（３０）が収納容器（２０）と会合しているときは、蓋（３０）の内側に会合している押し付け装置（６０）が収納容器（２０）に挿入されているスライダー（５０）を押し付け、スライダー（５０）を収納容器（２０）の下方向に移動させてスライダー（５０）を保存液に浸すことができ、そして蓋（３０）を収納容器（２０）から取り外すと、スライダー（５０）に加えられる圧力が除去され、スライダー（５０）が伸縮装置（４０）による伸縮力を受けて、収納容器（２０）の上部に移動することにより、スライダー（５０）を保存液の外へ出すことができる。
【００１１】
(発明の態様)
以下、本発明の態様を添付の図面を参照して記述する。
【００１２】
図１は本発明によるコンタクトレンズ収納ケースを説明する平面図であり、そして図２は本発明によるコンタクトレンズ収納ケースの蓋を開けた状態を説明する正面図である。
【００１３】
図１及び２を参照すると、本発明によるコンタクトレンズ収納ケースは円筒状の形態をしており、そして本体（１０）の両側に取り付けられていてその中にコンタクトレンズを収納するための保存液を満たすことができる一対の収納容器（２０）を備えている。収納容器の内部は、コンタクトレンズを保持してコンタクトレンズを上下の方向に容易に移動させるスライダー（５０）、及び収納容器（２０）が蓋（３０）の回転によって蓋（３０）と会合するように収納容器（２０）に対応している蓋（３０）を備えている。このとき、収納容器（２０）に包含されているスライダー（５０）を下方向に移動させるために、押し付け装置（６０）を蓋（３０）の内部に取り付ける。蓋（３０）が収納容器（２０）と会合すると、押し付け装置（６０）がスライダー（５０）に接触し、スライダー（５０）を押し付けることによって、保存液に浸されるようにスライダー（５０）を下方向へ移動させる。ここでは、押し付け装置（６０）が、蓋（３０）に会合する押し付け蓋（６０ａ）又は蓋（３０）と一体に形成される複数の押し付け突起（６０ｂ）を備えていることが好ましい。
【００１４】
更に、本発明は、蓋（３０）を収納容器（２０）から取り外したときにスライダー（５０）を上方向に移動させる伸縮力を提供する伸縮装置（４０）を備えている。伸縮装置（４０）は収納容器（２０）と収納容器（２０）内に挿入されているスライダー（５０）の間に位置している。ここでは、伸縮装置（４０）は本発明の記述に用いられているスプリングに限定されず、ゴム及びスポンジのような、伸縮力を提供できる何れかのものによっても実施することができる。
【００１５】
図３は本発明によるスライダー（５０）の斜視図であり、図４は本発明によるスライダー（５０）の平面図であり、そして図５は本発明によるスライダー（５０）の断面図である。
【００１６】
図３〜５を参照すると、スライダー（５０）は、コンタクトレンズを収納して、蓋（３０）が収納容器（２０）に会合したときに収納容器（２０）の下方向に移動して保存液に浸漬できるように、収納容器（２０）に挿入される。スライダー（５０）は凸状形態を有してコンタクトレンズを捕捉する、レンズ捕捉プローブ（５２）及びスライダー（５０）の側面に複数のスライド突起（５１）を備えている。更に、スライダー（５０）は、コンタクトレンズを収納するためにスライダーを保存液に浸漬するとき、保存液を容易に移動させるために孔（５３）を伴い形成される。その上、スライダー（５０）は、スライダー（５０）の片側にある複数の歯止め突起（ｌａｔｃｈｉｎｇ ｐｒｏｊｅｃｔｉｏｎ）（５４）を伴い形成される。
【００１７】
図６は本発明による押し付け蓋（６０ａ）の斜視図であり、図７は押し付け蓋（６０ａ）の平面図であり、図８は押し付け蓋（６０ａ）の正面図であり、そして図１３は本発明による押し付け突起（６０ｂ）を用いるコンタクトレンズ収納ケースの分解断面図である。
【００１８】
図６、７、８、及び１３を参照すると、蓋（３０）が収納容器（２０）と会合したときに、スライダー（５０）を押し付けて保存液に浸漬させる、押し付け装置（６０）が押し付け蓋（６０ａ）又は押し付け突起（６０ｂ）で駆動されていることが好ましい。
【００１９】
スライダー（５０）を押し付けるための押し付け蓋（６０ａ）は、蓋（３０）に会合する。押し付け蓋（６０ａ）は、蓋（３０）と会合させるために用いられる嵌め込み孔（ｆｉｔｔｉｎｇ ｈｏｌｅ）（６１ａ）、嵌め込み孔（６１ａ）を捕捉するためのサポーター（６２ａ）、及びサポーター（６２ａ）の間に形成されて押し付け蓋（６０ａ）を上方向に取り囲む複数の長手（ｓｔｒｅｔｃｈｅｒｓ）（６３ａ）を備えている。更に、押し付け蓋（６０ａ）は、長手（６３ａ）の下面から下方向に突き出ている抗移動突起（ａｎｔｉ−ｍｏｖｉｎｇ ｐｒｏｔｒｕｓｉｏｎ）（６４ａ）及び歯止め突起（ｌａｔｃｈｉｎｇ ｐｒｏｔｒｕｓｉｏｎ）（６５ａ）、並びにスライダー（５０）の歯止め突起（５４ａ）の間に形成される捕捉板（６６ａ）を備えている。
【００２０】
複数の押し付け突起（６０ｂ）が蓋（３０）の内部に形成されて、押し付け突起（６０ｂ）の長さは、押し付け蓋の中に挿入されるコンタクトレンズのような形態に、外側に位置する押し付け突起（６０ｂ）がより長くなるようにする。
【００２１】
上記のように、収納容器（２０）は、押し付け蓋（６０ａ）に挿入されているスライダー（５０）が下方向に移動するように、押し付け突起（６０ｂ）又は押し付け蓋（６０ａ）のような押し付け装置（６０）を有する蓋（３０）と会合する。
【００２２】
図９は押し付け蓋（６０ａ）を用いるコンタクトレンズ収納ケースを説明する分解断面図であり、図１０は押し付け蓋（６０ａ）を用いるコンタクトレンズ収納ケースの蓋を開けた状態を説明する断面図であり、図１１は押し付け蓋を用いるコンタクトレンズ収納ケースの会合状態を説明する断面図であり、そして図１２は本発明によるコンタクトレンズ収納ケースの拡大した部分を説明する断面図である。
【００２３】
図９〜１２を参照すると、本発明のコンタクトレンズ収納ケースは、本体（１０）、収納容器（２０）、蓋（３０）、伸縮装置（４０）、スライダー（５０）、及び押し付け装置（６０）を備えている。ここでは、押し付け装置（６０）を押し付け蓋（６０ａ）で駆動することが好ましい。本体（１０）は、本体（１０）の両側上に収納容器（２０）を備え、収納容器（２０）はその中に伸縮装置（４０）及びスライダー（５０）を備え、そして蓋（３０）は蓋（３０）の内側で押し付け蓋（６０ａ）と会合する。収納容器（２０）は、容器を覆って、回転により蓋（３０）と会合する。このとき、収納容器（２０）の内側は上下に移動するスライダー（５０）が所定の間隔以上移動することを防ぐためのスライダー溝（２１）を備え、そしてスライダー溝（２１）はスライダー（５０）の片側に形成されているスライド突起（５１）と係合している。上記のように、スライダーが伸縮装置（４０）によって移動するときに、スライダー（５０）が収納容器（２０）の外側へ離れることを防ぐように複数のスライド突起（５１）及び複数のスライダー溝（２１）が備わっている。
更に、スライダー（５０）がコンタクトレンズ（７０）を保持して下方へ移動するとき、保存液が収納容器（２０）の外部に漏れることを防ぐために、収納容器（２０）の側面が内壁（２０ａ）及び外壁（２０ｂ）を有する二重構造で構築されている。コンタクトレンズ（７０）を保持しているスライダー（５０）が保存液に浸漬するときに、保存液がその空間に入り込むように、内壁（２０ａ）及び外壁（２０ｂ）の間に空間が備わっており、それによって保存液が収納容器の外部に漏れることを防げる。
【００２４】
蓋（３０）の内側は、押し付け蓋（６０ａ）を取り付けるための嵌め込み突起（ｆｉｔｔｉｎｇ ｐｒｏｔｒｕｓｉｏｎ）（３１）、及び蓋（３０）が収納容器（２０）と会合するときに、収納容器（２０）の内壁（２０ａ）に接触していて、保存液が収納容器（２０）から溢れ出るのを防ぐ止水板（ｗａｔｅｒ−ｓｔｏｐ ｐｌａｔｅ）（３２）を備えている。
更に、蓋（３０）は、蓋（３０）の内側に止水溝（ｗａｔｅｒ  ｓｔｏｐ ｇｒｏｏｖｅ）（３０ｂ）を備えていて、これは防水を保持するために収納容器（２０）の内壁（２０ａ）及び外壁（２０ｂ）に接触している。
更に、蓋（３０）は、蓋（３０）が収納容器（２０）と会合したときに、保存液が収納容器（２０）から溢れ出て蓋（３０）に沿って外側に漏れるのを防ぐために、収納容器（２０）の内壁（２０ａ）及び外壁（２０ｂ）の間に位置する集水板（ｗａｔｅｒ ｃｏｌｌｅｃｔｉｎｇ ｐｌａｔｅ）（３０ａ）を備えている。集水板（３０ａ）は保存液が蓋（３０）の内側に沿って移動するのを防ぐばかりでなく、内壁（２０ａ）及び外壁（２０ｂ）の間の空間へ保存液を収集もする。
【００２５】
上記の蓋（３０）は、収納容器（２０）に挿入されているスライダー（５０）を下方へ動かす押し付け蓋（６０ａ）と会合する。このとき、押し付け蓋（６０ａ）の片側に形成されている嵌め込み孔（６１ａ）が、蓋（３０）の内側に形成されている嵌め込み突起（３１）に嵌め込まれて、蓋（３０）が押し付け蓋（６０ａ）と会合できる。嵌め込み突起（３１）は後端部より厚い前端部を有しているので、嵌め込み突起（３１）が嵌め込み孔（６１ａ）に嵌め込まれた後に、押し付け蓋（６０ａ）を容易に回転できる。これは、押し付け蓋（６０ａ）が蓋（３０）と会合している状態で、蓋（３０）を収納容器（２０）と回転によって会合させるているので、コンタクトレンズ（７０）を保持しているスライダー（５０）の回転を防ぐことを目的としている。上記の容易に回転できる押し付け蓋（６０ａ）が蓋（３０）と収納容器（２０）の会合によってスライダー（５０）を押し付けるので、スライダーを保存液に浸漬できる。
更に、複数の歯止め突起（６５ａ）が押し付け蓋（６０ａ）の片側に形成されているので、押し付け蓋（６０ａ）がスライダー（５０）を押し付けるときに、歯止め突起（６５ａ）をスライダー（５０）の歯止め突起（５４）の間に位置づけることができる。
更に、押し付け蓋（６０ａ）は複数の捕捉板（６６ａ）を備えているので、押し付け蓋（６０ａ）がスライダー（５０）を均一な力で押し付けることができる。これは、複数の捕捉板（６６ａ）が蓋（３０）と接触するような状態で嵌め込み孔（６１ａ）のみで会合している押し付け蓋（６０ａ）の捕捉を目的としている。
【００２６】
本発明によるコンタクトレンズ収納ケースは、収納容器（２０）中に伸縮装置（４０）を備えていて、伸縮装置（４０）はスライダー（５０）が保存液から露出するようにスライダー（５０）を上方向に動かす。このとき、伸縮装置（４０）は収納容器（２０）とスライダー（５０）の間に位置していて、収納容器（２０）の内側に形成されているスライダー溝（２１）に沿ってスライダー（５０）を上方向に動かすための伸縮力を提供する。
【００２７】
上記のように、本発明のコンタクトレンズ収納ケースによると、保存液を収納容器（２０）に入れ、コンタクトレンズを伸縮装置（４０）で捕捉されているスライダー（５０）のレンズ捕捉プローブ（５２）の上に載せて、収納容器（２０）を蓋（３０）を回転させて蓋（３０）と会合させる。このとき蓋（３０）と会合している押し付け蓋（６０ａ）がスライダー（５０）を押し付けて、スライダー（５０）を下方向へ動かすことにより、スライダーが保存液中に浸漬される。上記のように、蓋を収納容器（２０）から取り外すと、押し付け蓋（６０ａ）によって保存液に浸漬されているスライダー（５０）が、圧縮されている伸縮装置（４０）によって上方向に動き、それによりスライダー（５０）が保存液から露出するで、使用者は容易にコンタクトレンズを持つことができる。
【００２８】
図１３は本発明による押し付け突起（６０ｂ）を用いるコンタクトレンズ収納ケースを説明する分解断面図であり、図１４は押し付け突起（６０ｂ）を用いるコンタクトレンズ収納ケースの蓋を開けた状態を説明する断面図であり、そして図１５は、押し付け突起（６０ｂ）を用いるコンタクトレンズ収納ケースの会合状態を説明する断面図である。
【００２９】
図１２〜１４を参照すると、突起形状を有する複数の押し付け突起（６０ｂ）が蓋（３０）の内側に形成されて、この押し付け突起（６０ｂ）は中央部分から外側に向かってより長くなっていて、収納容器（２０）に挿入されるコンタクトレンズのような形状をしている。
【００３０】
押し付け突起（６０ｂ）は蓋（３０）と一体化して形成される。従って、蓋（３０）が収納容器（２０）と会合すると、押し付け突起（６０ｂ）はコンタクトレンズ（７０）を保持しているスライダー（５０）を押し付けて収納容器（２０）の下方向にスライダー（５０）を動かす。
【００３１】
上記のように、本発明のコンタクトレンズ収納ケースには、保存液が満たされている収納容器（２０）とスライダー（５０）の間に伸縮装置（４０）が挿入されていて、スライダー（５０）が保存容器（２０）の中に挿入されている。このとき、スライダー（５０）の片側に形成されているスライド突起（５１）が収納容器（２０）の内側に形成されているスライダー溝（２１）と係合する。スライダー溝（２１）は、スライダー（５０）が上下に動くときにスライダー（５０）が収納容器（２０）から外れないように、収納容器（２０）の内側に形成されている。
【００３２】
更に、蓋（３０）が収納容器（２０）と会合すると、蓋（３０）の片面上に形成されている押し付け突起（６０ｂ）がスライダー（５０）を押し付けるので、収納容器に満たされている保存液に浸漬できるように、スライダー（５０）を保存容器（２０）の下方向に動かすことができる。
上記のように、蓋（３０）をコンタクトレンズ（７０）を有している収納ケース中の収納容器（２０）から取り外すと、蓋（３０）の片側面上に形成されている押し付け突起（６０ｂ）によってスライダー（５０）に加えられている圧力が除かれるので、スライダー（５０）は押さえ付けられている伸縮装置（４０）によって収納容器（２０）の上方向に動いて、保存液から露出する。
【００３３】
上記のように、本発明のコンタクトレンズ収納ケースによれば、容易に上下に移動可能なスライダー（５０）が保存液を満たした収納容器（２０）中に挿入され、伸縮装置（４０）が、スライダー（５０）に伸縮力を提供できるようにスライダー（５０）と収納容器（２０）の間に備えられ、そして伸縮装置（４０）及びスライダー（５０）をその中に有している収納容器（２０）が押し付け装置（６０）を有している蓋（３０）と会合することにより、スライダー（５０）を押し付け装置（６０）で押し付けて収納のために保存液に浸漬することができる。
更に、蓋（３０）を収納容器（２０）から取り外すと、スライダー（５０）に加えられている圧力が除かれて、スライダー（５０）が伸縮装置（４０）から伸縮力を受けることにより、スライダー（５０）が収納容器（２０）の上方向に動いて、保存液から露出する。従って、使用者は容易にコンタクトレンズを持つことができる。
【図１】
2010510829.tif 000003
【図２】
2010510829.tif 000004
【図３】
2010510829.tif 000005
【図４】
2010510829.tif 000006
【図５】
2010510829.tif 000007
【図６】
2010510829.tif 000008
【図７】
2010510829.tif 000009
【図８】
2010510829.tif 000010
【図９】
2010510829.tif 000011
【図１０】
2010510829.tif 000012
【図１１】
2010510829.tif 000013
【図１２】
2010510829.tif 000014
【図１３】
2010510829.tif 000015
【図１４】
2010510829.tif 000016
【図１５】
2010510829.tif 000017
【国際調査報告】
2010510829.tif 000018
2010510829.tif 000019